(57)【要約】【課題】  回路基板に電子部品を効率よく実装することができ、ひいては小型化を図ることを可能とする。【解決手段】  回路基板１１において、各スイッチユニット１２〜１６のケース２０と回路基板１１との間に部品実装スペース２５を形成し、各部品実装スペース２５に、比較的小さな電子部品１９を実装する構成とした。これにより、各スイッチユニット１２〜１６の実装スペース内にも他の電子部品１９を実装することができるようになる。このため、回路基板１１に電子部品１９を効率よく実装することができ、従来のように、別基板のハイブリッドＩＣを設けたり、回路基板を大きくしたりする必要がなくなり、小型化を図ることが可能となる。【選択図】  図１
2007066971.tif 000002
【特許請求の範囲】
【請求項１】
回路基板と、
スイッチ要素が収容されたケースを有して前記回路基板に実装され、その実装状態で前記ケースと前記回路基板との間に部品実装スペースを形成するスイッチユニットと、
前記回路基板における前記部品実装スペースに実装された電子部品とを備えたことを特徴とする回路基板装置。
【発明の詳細な説明】
【技術分野】
【０００１】
本発明は、回路基板にスイッチユニット及びその他の電子部品を実装する構成の回路基板装置に関する。
【背景技術】
【０００２】
例えばパワーウインド機能付きの自動車においては、運転席のドアの内側に、パワーウインド操作用のスイッチ装置が設けられている。このスイッチ装置には、運転席用の他、助手席用、後部座席右用、後部座席左用の各ウインドを操作する４個のスイッチと、運転席以外のほかの座席でのウインド操作を禁止するウインドロック用の１個のスイッチが設けられている。そして、この種のスイッチ装置においては、これら５個のスイッチは、それぞれケース内にスイッチ要素が収容されてユニット化されていて、これら各スイッチユニット（モジュールスイッチ）は、１枚の回路基板に実装されている。なお、各スイッチユニットのスイッチ要素を操作するための操作ノブは、スイッチカバーに取り付けられている。
【０００３】
ここで、図３には、上記スイッチ装置における回路基板１に、ウインドを操作する４個のスイッチユニット２ａ〜２ｄと、１個のウインドロック用のスイッチユニット２ｅとが実装された回路基板装置の従来構成が示されている。各スイッチユニット２ａ〜２ｅは、ケース３内に図示しないスイッチ要素を収容した構成となっていて、回路基板１への実装状態でケース３の底面が回路基板１の上面にほぼ密着するようになっている。各スイッチユニット２ａ〜２ｅのケース３の側部には、スイッチ要素を操作するための操作子４が配置されている。各操作子４は、図示しない操作ノブによってスライド操作されるようになっている。回路基板１には、５個のスイッチユニット２ａ〜２ｅの他、リレーやＩＣ、その他の電子部品５が実装されている。この種のスイッチ装置としては、例えば特許文献１参照。
【特許文献１】特開平９−２４５５６８号公報
【発明の開示】
【発明が解決しようとする課題】
【０００４】
ところで、上記した従来構成においては、回路基板１において、スイッチユニット２ａ〜２ｅ以外の他の電子部品５は、それらスイッチユニット２ａ〜２ｅを避けた位置に実装する必要がある。このため、それら電子部品５を実装するために、回路基板１に、電子部品５をパッケージ化したハイブリッドＩＣ６を別基板として実装するか、或いは、回路基板１を大きくして（二点鎖線参照）、そこに電子部品５を実装する必要があった。
【０００５】
本発明は上記した事情に鑑みてなされたものであり、その目的は、回路基板に電子部品を効率よく実装することができ、ひいては小型化を図ることが可能な回路基板装置を提供するにある。
【課題を解決するための手段】
【０００６】
上記した目的を達成するために、本発明の回路基板装置は、回路基板と、スイッチ要素が収容されたケースを有して前記回路基板に実装され、その実装状態で前記ケースと前記回路基板との間に部品実装スペースを形成するスイッチユニットと、前記回路基板における前記部品実装スペースに実装された電子部品とを備えたことを特徴とする。
【発明の効果】
【０００７】
本発明によれば、回路基板において、スイッチユニットのケースと回路基板との間に形成された部品実装スペースに電子部品を実装する構成としたので、スイッチユニットの実装スペース内にも他の電子部品を実装することができるようになる。このため、回路基板に電子部品を効率よく実装することができ、ひいては小型化を図ることが可能となる。
【発明を実施するための最良の形態】
【０００８】
以下、本発明を、自動車の運転席のドアに設けられるパワーウインド操作用のスイッチ装置に適用した一実施例について図１及び図２を参照して説明する。
まず、図１において、回路基板１１は、プリント配線基板からなるもので、長方形の板状をなしている。この回路基板１１上には、運転席用、助手席用、後部座席右用、後部座席左用の各ウインドを操作する４個のスイッチユニット１２〜１５と、運転席以外のほかの座席でのウインド操作を禁止するウインドロック用のスイッチユニット１６とが実装されていると共に、リレー１７やＩＣ１８、その他の電子部品１９が実装されている。
【０００９】
ここで、各スイッチユニット１２〜１６は同様な構成であるので、助手席用のスイッチユニット１３を代表して説明する。スイッチユニット１３のケース２０は、ほぼ矩形箱状をなしていて、下部の４隅部に脚部２１を有している。ケース２０内には、図示はしないがスイッチ要素が収容されている。ケース２０からは複数本のターミナル２２が下側へ向けて突出していて、各ターミナル２２は、図２に示すように、回路基板１１に形成されたスルーホール２３に挿入された状態ではんだ２４によりランドに接続されている。
【００１０】
この実装状態で、ケース２０の各脚部２１の下端部が回路基板１１上に当接すると共に、ケース２０の底面２０ａと回路基板１１の上面との間に空間部からなる部品実装スペース２５が形成されている。そして、回路基板１１において、スイッチユニット１３の下方に形成された部品実装スペース２５に、比較的小さな電子部品１９が実装されている。
【００１１】
ケース２０の側部には、スイッチ要素を操作するための操作子２６が側方へ向けて突出する状態で設けられていると共に、その操作子２６の移動を案内するスライド孔２７が形成されている。回路基板１１の上方にはスイッチカバー３０が配置されていて、このスイッチカバー３０に、スイッチユニット１３のスイッチ要素を操作するための操作ノブ３１が設けられている。
【００１２】
操作ノブ３１は、軸部３２を介してスイッチカバー３０に揺動可能に取り付けられている。この操作ノブ３１には、レバー部３３が下向きに突設されている。このレバー部３３は、スイッチカバー３０を貫通して上記操作子２６に係合していて、操作レバー３１の揺動に伴いその操作子２６をスライド操作する構成となっている。
【００１３】
操作ノブ３１とスイッチカバー３０との間には、操作ノブ３１の操作に節度を付与するための節度機構３４が設けられている。この節度機構３４は、操作ノブ３１の収容部３５に設けられた節度スプリング３６と、この節度スプリング３６により下方へ付勢された節度ピース３７と、スイッチカバー３０に設けられたほぼＶ字状の節度凹部３８とから構成されていて、操作ノブ３１の揺動に伴い節度ピース３７が節度凹部３８に沿って摺動する構成となっている。
【００１４】
なお、図示はしないが、助手席用のスイッチユニット１３以外の他のスイッチユニット１２，１４，１５，１６にも、これらを操作するための操作ノブが設けられている。また、これらスイッチユニット１２，１４，１５，１６の回路基板１１への実装状態で、各ケース２０と回路基板１１との間にも部品実装スペース２５が形成されていて、その部品実装スペース２５にも比較的小さな電子部品１９が実装されている。
【００１５】
上記した実施例においては、回路基板１１において、各スイッチユニット１２〜１６のケース２０と回路基板１１との間に形成された部品実装スペース２５に、比較的小さな電子部品１９を実装する構成としたので、各スイッチユニット１２〜１６の実装スペース内にも他の電子部品１９を実装することができるようになる。このため、回路基板１１に電子部品１９を効率よく実装することができ、従来のように、別基板のハイブリッドＩＣを設けたり、回路基板を大きくしたりする必要がなくなり、小型化を図ることが可能となる。
【００１６】
本発明は、上記した実施例にのみ限定されるものではなく、次のように変形または拡張できる。
上記した実施例においては、回路基板１１上に５個のスイッチユニット１２〜１６を実装する構成のものにおいて、スイッチユニット１２〜１６の各ケース２０と回路基板１１との間にそれぞれ部品実装スペース２５を形成する構成としたが、部品実装スペース２５を形成するのは一部のみでもよい。
【００１７】
また、スイッチユニットが１個のみの場合でもよい。
【図面の簡単な説明】
【００１８】
【図１】本発明の一実施例を示す斜視図
【図２】１組のスイッチユニット及び操作ノブ部分の縦断側面図
【図３】従来構成を示す図１相当図
【符号の説明】
【００１９】
図面中、１１は回路基板、１２〜１６はスイッチユニット、１９は電子部品、２０はケース、２１は脚部、２２はターミナル、２５は部品実装スペース、２６は操作子、３１は操作ノブを示す。
【図１】
2007066971.tif 000003
【図２】
2007066971.tif 000004
【図３】
2007066971.tif 000005